(57)【要約】【課題】長期に渡って集水器のゴミ詰まりを防止し、軒樋から堅樋へ雨水をスムーズに流落させる、メンテナンスサイクルの長い集水器カバー部材を提供する。【解決手段】軒樋４，４間に設置される集水器３のゴミ詰まりを防止する集水器カバー部材Ｃであって、集水器３側の軒樋４端部にそれぞれゴミ除けネット１，１が取付けられた構成とする。軒樋端部４に取付けられるゴミ除けネット１の表面積が従来のゴミ除去キャップよりも遥かに大きくて詰まりづらい。しかも、各軒樋４，４にゴミ除けネット１，１が取付けられているので、各軒樋４，４に堆積したゴミはそれぞれのゴミ除けネット１，１に分散し、相当な期間メンテナンスをしなくても軒樋４から雨水が溢れてしまうという心配がなくなる。【選択図】図１
2008267112.tif 000002
【特許請求の範囲】
【請求項１】
軒樋と軒樋の間に設置される集水器のゴミ詰まりを防止する集水器カバー部材であって、
集水器側の軒樋端部にそれぞれゴミ除けネットが取付けられたことを特徴とする集水器カバー部材。
【請求項２】
ゴミ除けネットの底部に、軒樋の底板と係止する係止部が設けられていることを特徴とする請求項１に記載の集水器カバー部材。
【請求項３】
ゴミ除けネットの両側部及び底部に、軒樋の前板、後板及び底板とそれぞれ係止する係止部が設けられていることを特徴とする請求項１に記載の集水器カバー部材。
【請求項４】
ゴミ除けネットの底部に設けられた係止部が、軒樋の底板を差し込んで挟着するよう略コ字形に形成されており、ゴミ除けネットから該係止部に向って補強リブが設けられていることを特徴とする請求項２又は請求項３に記載の集水器カバー部材。
【請求項５】
ゴミ除けネットの形状が略ト字型であることを特徴とする請求項１ないし請求項４のいずれかに記載の集水器カバー部材。
【請求項６】
軒樋端部にそれぞれ取付けられたゴミ除けネットの上部に、ゴミ除けネット間の開放部を覆うカバーネットが取付けられたことを特徴とする請求項１ないし請求項５のいずれかに記載の集水器カバー部材。
【請求項７】
ゴミ除けネットの上部に係止爪が設けられており、その係止爪とカバーネットの網目を係止させることで、ゴミ除けネットにカバーネットが取付けられていることを特徴とする請求項６に記載の集水器カバー部材。
【請求項８】
カバーネット裏面のゴミ除けネットの係止爪と係止する網目の両端に、ゴミ除けネットの係止爪を、ゴミ除けネットの係止爪と係止する網目へとガイドする略片三角形の突条が形成されていることを特徴とする請求項７に記載の集水器カバー部材。
【請求項９】
カバーネットの少なくともゴミ除けネットの係止爪と係止する網目が、軒樋の長手方向と同じ方向に長くなるように形成されていることを特徴とする請求項７又は請求項８に記載の集水器カバー部材。
【請求項１０】
カバーネットの形状が凹型又は凸型であることを特徴とする請求項６ないし請求項９に記載の集水器カバー部材。
【発明の詳細な説明】
【技術分野】
【０００１】
本発明は、軒樋から堅樋への経路途中に設置される集水器のゴミ詰まりを防止し、軒樋から堅樋へ雨水をスムーズに流落させるための集水器カバー部材に関するものである。
【背景技術】
【０００２】
従来、枯れ葉やゴミなどが堅樋へ流れ込むのを防止するため、軒樋と堅樋の連結部に設置された樋集水器の落し口に、上部に網状体が設けられ下部に筒状体が設けられたゴミ除去キャップを差し込むなどして対応してきた（特許文献１）。
【０００３】
しかしながら、上記樋集水器は、降雨時、両隣の軒樋に堆積した枯れ葉などのゴミなどが落し口に差し込まれたゴミ除去キャップ１箇所に集中し、また、ゴミ除去キャップの網状体は落し口より僅かに大きい程度の面積しか有しないため、直ぐにドーム状のゴミ除去キャップの周面に枯れ葉などのゴミが詰まって閉塞し、頻繁にゴミ除去作業をしないと家屋の屋根に降った雨水が軒樋から堅樋へと流れず、大雨のときなど軒樋から雨水が溢れてしまうという問題があった。
【特許文献１】特開平０９−２５６５６７号公報
【発明の開示】
【発明が解決しようとする課題】
【０００４】
本発明は上記の問題に鑑みてなされたもので、その解決課題は、長期に渡って集水器のゴミ詰まりを防止し、軒樋から堅樋へ雨水をスムーズに流落させる、メンテナンスサイクルの長い集水器カバー部材を提供することにある。
【課題を解決するための手段】
【０００５】
上記目的を達成するため、本発明に係る集水器カバー部材は、軒樋と軒樋の間に設置される集水器のゴミ詰まりを防止する集水器カバー部材であって、集水器側の軒樋端部にそれぞれゴミ除けネットが取付けられたことを特徴とするものである。
【０００６】
本発明の集水器カバー部材においては、ゴミ除けネットの底部に、軒樋の底板と係止する係止部が設けられていることが好ましい。また、ゴミ除けネットの両側部及び底部に、軒樋の前板、後板及び底板とそれぞれ係止する係止部が設けられた集水器カバー部材も好ましい。更に、ゴミ除けネットの底部に設けられた係止部が、軒樋の底板を差し込んで挟着するよう略コ字形に形成されており、ゴミ除けネットから該係止部に向って補強リブが設けられていることがより好ましく、ゴミ除けネットの形状が略ト字型である集水器カバー部材も好ましい。特に、軒樋端部にそれぞれ取付けられたゴミ除けネットの上部に、ゴミ除けネット間の開放部を覆うカバーネットが取付けられた集水器カバー部材が好ましく、ゴミ除けネットの上部に係止爪が設けられており、その係止爪とカバーネットの網目を係止させることで、ゴミ除けネットにカバーネットが取付けられることがより好ましい。更に、カバーネット裏面のゴミ除けネットの係止爪と係止する網目の両端に、ゴミ除けネットの係止爪を、ゴミ除けネットの係止爪と係止する網目へとガイドする略片三角形の突条が形成されている集水器カバー部材が好ましく、カバーネットの少なくともゴミ除けネットの係止爪と係止する網目が、軒樋の長手方向と同じ方向に長くなるように形成されていることが好ましい。また、カバーネットの形状が凹型又は凸型である集水器カバー部材も好ましい。
【発明の効果】
【０００７】
本発明の集水器カバー部材は、軒樋端部に取付けられるゴミ除けネットの網目部分の面積を、軒樋の有効断面積と等しくすることもできるので、従来の樋集水器のゴミ除去キャップと比較すると、遥かに網目部分の面積が大きくて詰まりづらい。しかも、落とし口毎の各軒樋にゴミ除けネットが取付けられているので、各軒樋に堆積したゴミはそれぞれのゴミ除けネットに分散し、相当な期間メンテナンスをしなくてもゴミが詰まって閉塞するのを防止することができる。従って、長期間に渡って軒樋から堅樋へと雨水がスムーズに流落するため、大雨のときなどでも軒樋から雨水が溢れてしまうという心配が減少する。
【０００８】
ゴミ除けネットの底部に、軒樋の底板と係止する係止部が設けられた集水器カバー部材のように、ゴミ除けネットの底部に係止部を１つ設けると、止具等を用いなくても、ゴミ除けネットを軒樋へ取付けることができるので、施工性が良好である。
【０００９】
また、ゴミ除けネットの両側部及び底部に、軒樋の前板、後板及び底板とそれぞれ係止する係止部が設けられている集水器カバー部材は、この位置に係止部を設けることで、簡単且つ確実にゴミ除けネットを軒樋に取付けることができる。
【００１０】
特に、ゴミ除けネットの底部に設けられた係止部が、軒樋の底板を差し込んで挟着するよう略コ字形に形成されており、ゴミ除けネットから該係止部に向って補強リブが設けられている集水器カバー部材のように、軒樋の端部を差し込んで取付ける略コ字形の係止部であると、軒樋を差し込むだけで簡単に取付けることができるにもかかわらず、略コ字形の係止部が軒樋を上下から挟着するので、ガタつきなどもなく確実に取付けることができる。しかも、ゴミ除けネットから係止部に向って補強リブが設けられているので、軒樋にゴミ除けネットを取付けた際、補強リブがつっかえ棒の役目を果たし、ゴミ除けネットの倒れや撓みを防止することもできる。
【００１１】
そして、ゴミ除けネットの形状が略ト字型である集水器カバー部材は、ゴミ除けネットを立体的に形成することで更に表面積が大きくなり、より一層ゴミが詰まりづらくなるので、メンテナンスサイクルをより長期化することができる。
【００１２】
一方、ゴミ除けネットに詰まったゴミを長期間除去しなければ、いくらゴミ除けネットの表面積が大きいとはいえ、いずれ網目にゴミが詰まって閉塞する。ゴミ除けネットが閉塞すると、行き場をなくした雨水はゴミ除けネットの上方を越えて集水器へ流れ込むようになり、その際、枯れ葉などのゴミも一緒に流れ込んでくる。しかしながら、軒樋端部にそれぞれ取付けられたゴミ除けネットの上部に、ゴミ除けネット間の開放部を覆うカバーネットが取付けられた集水器カバー部材であれば、例えゴミ除けネットが閉塞して、枯れ葉などがゴミ除けネットを越えて集水器に流れ込みそうになっても、ゴミ除けネット間の開放部、即ち、集水器の上部にはカバーネットが取付けられているので、集水器へゴミが流れ込むことはなく、かなりの長期間ゴミ除去作業を行わなくても閉塞する心配がなくなる。
【００１３】
また、ゴミ除けネットの上部に係止爪が設けられており、その係止爪とカバーネットの網目を係止させることで、ゴミ除けネットにカバーネットが取付けられている集水器カバー部材は、ゴミ除けネットの上方からカバーネットを被せて、ゴミ除けネットの係止爪とカバーネットの網目を係止させるという簡単な作業でゴミ除けネットにカバーネットを取付けることができるので、施工性が向上する。
【００１４】
特に、カバーネット裏面のゴミ除けネットの係止爪と係止する網目の両端に、ゴミ除けネットの係止爪を、ゴミ除けネットの係止爪と係止する網目へとガイドする略片三角形の突条が形成されている集水器カバー部材は、施工現場の足場が悪いなどして、ゴミ除けネットの係止爪が視認できず、該係止爪と係止するカバーネットの網目の位置も把握しずらいような場合でも、手の指で該突条を認識しながら手探り状態でゴミ除けネットの係止爪を目標にし、該係止爪を該突条の斜面に沿わせるようにすると、カバーネットを取付けることができる。
【００１５】
そして、カバーネットの少なくともゴミ除けネットの係止爪と係止する網目が、軒樋の長手方向と同じ方向に長くなるように形成されている集水器カバー部材は、長い網目を形成することで、一方の軒樋先端と他方の軒樋先端との位置関係（つまり、ゴミ除けネットの係止爪間の距離）が少々ばらついていても吸収できるため、カバーネットの取付け作業が容易となるばかりか、気温や日光による軒樋の温度変化によって軒樋が膨張したり、収縮（熱伸縮）して軒樋先端の位置関係が変わっても、ゴミ除けネットの係止爪や前記係止爪が係止されたカバーネットの網目が破損や変形することなく対応することができる。
【００１６】
また、カバーネットの形状が凹型又は凸型である集水器カバー部材は、凹型又は凸型のように立体的に形成することで、上記ゴミ除けネットと同様にカバーネットの表面積が大きくなり、メンテナンスサイクルをより一層長期化することができる。
【発明を実施するための最良の形態】
【００１７】
以下、図面を参照して本発明の具体的な実施形態を詳述する。
【００１８】
図１は本発明の一実施形態に係る集水器カバー部材の分解斜視図、図２は同カバー部材を軒樋に取付けた状態を示す正面図、図３は同カバー部材の構成部材であるゴミ除けネットの正面図、図４は同ゴミ除けネットの平面図、図５は同ゴミ除けネットの右側面図、図６は同カバー部材の構成部材であるカバーネットの平面図、図７は集水器の正面図である。
【００１９】
本発明の集水器カバー部材Ｃは、軒樋４と軒樋４の間に設置される集水器３の落し口３ｃにゴミが詰まるのを防止するためのもので、図１に示すように、軒樋４，４の端部にそれぞれ取付けられるゴミ除けネット１，１と、そのゴミ除けネット１，１の上部に取付けられて集水器３上側の開放部を覆うカバーネット２からなるものである。
【００２０】
上記ゴミ除けネット１は、図３、図４、図５に示すように、縦糸と横糸からなる網体で、その左側部には係止部１ａが、右側部には係止部１ｂが、底部には係止部１ｃがそれぞれ設けられており、上部には２つの係止爪１ｄ，１ｄが突設されている。このゴミ除けネット１は、図２に示すように、軒樋４の端部を略隙間なくカバーするよう軒樋４の断面形状と略等しくなるように形成されており、左側面側が軒樋４の前板４ａの傾斜角と同様に傾斜している。そして、このゴミ除けネット１の高さは、ゴミ除去能力や排水性等を考慮すると軒樋４の有効深さ又は有効断面積の３０〜８０％程度に形成することが好ましい。また、軒樋４の有効深さ又は有効断面積の３０〜６０％程度に形成することが更に好ましく、最も好ましい実施態様は軒樋４の有効深さ又は有効断面積の４０％前後となる。本実施形態の軒樋４の有効深さは１２０ｍｍなので、ゴミ除けネット１の高さは５０ｍｍに形成されている。
また、ゴミ除けネット１の縦糸と横糸の間隔が大き過ぎると、枯れ葉などのゴミが雨水と共にゴミ除けネット１を通過して集水器３に流れ込んでしまい、間隔が小さ過ぎるとゴミ除けネット１の全開口面積が減少して、雨水の流入量が減少して排水性が低下するといった不具合を生じる。そのため縦糸の一辺が１０ｍｍ〜２５ｍｍ程度、横糸の一辺が５〜１５ｍｍ程度に設定するのが好ましい。
尚、このゴミ除けネット１の形状は、より表面積を増やすために、例えば、図８に示すような略ト字型に形成してもよい。このような略ト字型のゴミ除けネット１の突起部分は、集水器３側を向いていてもよいしその逆方向を向いていてもよい。
【００２１】
上記ゴミ除けネット１の左側部に設けられた係止部１ａは、図３、図４に示すように、左側部上部から２本の突片１０ａ，１１ａが突設されたものである。この２本の突片は軒樋を係止部に差し込むときに、軒樋先端を適切な位置に誘導しやすくすめためのガイドとしても機能するが、両方の突片が同じ長さであると、軒樋先端を差し込みづらくなり、また軒樋内には流水の邪魔になるようなものは小さい方が望ましいため、軒樋４の外壁面側にある突片１０ａが内壁面側の突片１１ａよりも長くなるように形成されている。そして、図４の仮想線で示すように、突片１０ａと突片１１ａの間に軒樋４の前板４ａを挿入し、その突片１０ａ，１１ａで前板４ａを両側から挟み込むことで軒樋４に取付けられるようになっている。また、右側部に設けられた係止部１ｂも、図３、図４に示すように、右側部上部から２本の長い突片１０ｂ，短い突片１１ｂが突設されたもので、その突片１０ｂ，１１ｂ間に軒樋４の後板４ｂを挿入するようになっている。
尚、それぞれの係止部１a，１ｂ，１ｃは、軒樋の内壁面側の突片がなくてもゴミ除けネット１が軒樋４に十分に固着できるのであれば、軒樋の外壁面側に突片があるのみであってもよい。
また、本実施形態では３ヶ所に小さな係止部を設けているが、その位置や数、係止部長さ（係止部と軒樋が固着される長さ）は、必要に応じて形成することができ、軒樋の形状によって係止機能を満たすのであれば、２ヶ所又は1ヶ所の係止部を採用することもでき、あるいはゴミ除けネット１の接する軒樋端部の略全てに合致するように係止部を設けてもよい。ただし、通常の軒樋形状であれば、３ヶ所に係止部を設けることが合理的である。
【００２２】
また、底部に設けられた係止部１ｃは、図４、図５に示すように、ゴミ除けネット１の底部より軒樋４の上流側へ２本の突片１０ｃ，１１ｃが突設されたもので、この係止部１ｃも上記係止部１ａ，１ｂと同様に、下側の突片１０ｃが上側の突片１１ｃよりも長くなるように形成されており、図５の仮想線で示すように、その突片１０ｃ，１１ｃ間に軒樋４の底板４ｃを挿入するようになっている。
【００２３】
係止爪１ｄ，１ｄは、図３に示すように、ゴミ除けネット１の上面から上方へ突設された突起片１１ｄの先端に、戻り防止爪１０ｄが形成されたもので、後述するカバーネット２を取付けるために設けられている。この係止爪１ｄの形状は、カバーネット２と係止する形状であれば、特に本実施形態に限定されるものではなく、例えば、円形であってもよいし三角形であってもよい。
尚、本実施形態では戻り防止爪１０ｄが一方向にのみ突起のある片三角形状となっている。このような片三角形状の戻り防止爪の場合、係止爪１ｄの突起片１１ｄの長さ方向の一部（戻り防止爪１０ｄの真下）の断面を細く形成することで、係止爪１ｄの断面が細い部分をねじって回転させることができる。このように係止爪１ｄを回転させて戻り防止爪１０ｄの突起方向とカバーネット２の被係止部２ａの網目の長い方向を合わせることで、容易にカバーネット２を係止爪１ｄから外すことができ、メンテナンスなどでカバーネット２を取り外すときに便利である。
【００２４】
一方、カバーネット２は、図６に示すように、縦糸と横糸で網目が形成された長方形の網体で、上記ゴミ除けネット１，１の上部に取付けられて、集水器３上側の開放部を覆って集水器３へゴミが流入するのを防止するためのものである。このカバーネット２は、左右一列及び真ん中の２列は通常の大きさの網目が形成されており、通常の網目と網目の間には、通常の網目より横糸の一辺が長い網目が複数個（本実施形態では１２個）形成されている。その長い網目のうち４個の網目は、縦糸の一辺（網目の幅）が上記ゴミ除けネット１の係止爪１ｄの戻り防止爪１０ｄの寸法と略等しく（他の長網目よりも幅が小さい）形成されており、その４個が上記ゴミ除けネット１の係止爪１ｄと係止する被係止部２ａとなっている。
尚、ゴミ除けネット１の係止爪１ｄとカバーネット２の被係止部２ａとが係止可能であれば、被係止部２ａの幅は戻り防止爪１０ｄの寸法より大きくしてもよいことは言うまでもない。
このように、被係止部２ａ，２ａ，２ａ，２ａ長く形成することで、カバーネット２のゴミ除けネット１，１への取付け作業が容易となり、また、軒樋４が熱伸縮して係止爪１ｄが集水器３側へ移動したり、逆に集水器３の反対側に移動したときも対応することができる。
【００２５】
上記カバーネット２の寸法は、集水器３や軒樋４の寸法によって変更されるが、縦１００ｍｍ前後、横１７０ｍｍ前後のものであれば、市場に流通している多くの集水器及び軒樋に対応することができる。また、網目が大き過ぎると枯れ葉などのゴミが集水器３に流れ込んでしまい、小さ過ぎると雨水の流入量が減少して排水性が低下するので、通常の大きさの網目は、縦糸の一辺が１０〜１５ｍｍ、横糸の一辺が１０〜２５ｍｍが好ましい。また、軒樋４の長さを１０ｍと想定し、軒樋４が硬質塩化ビニル樹脂製であれば、通常の温度領域で軒樋４は熱伸縮によって４０ｍｍ程度寸法変化することが予想される。従って、被係止部２ａの横糸の一辺は、上記ゴミ除けネット１の係止爪１ｄ，１ｄが４０ｍｍ以上移動しても問題の起きないだけの長さを有していればよく、施工性、伸縮性、強度等を勘案すると、横糸の一辺を４０ｍｍ〜４５ｍｍ程度に設定するのが好ましい。
尚、カバーネット２の形状は、左右の両端が下方へ折り曲げられたコ字型のものでもよく、その場合は、両端の折り曲げ部分がゴミ除けネット１，１を跨ぐようにして取付ければよい。また、図９（ａ）に示すように、カバーネット２の中央部分を盛り上げて凸型とし、表面積をより大きくすることで閉塞しにくいような形状としてもよいし、図９（ｂ）に示すように、何箇所（この参考例では２箇所）か下方へ凹まして凹型とし、その凹部にゴミを集中的に溜めて、他の網目から水が流れるようにしてもよい。
【００２６】
上記カバーネット２を取付けず、軒樋４，４端部に取付けられたゴミ除けネット１，１だけでもゴミ詰まりを防止することはできるが、ゴミ除けネット１に詰まったゴミを長期間除去しなければ、いくら網目部分の面積が従来のゴミ除去キャップよりも遥かに大きいとはいえ、いずれ網目にゴミが詰まって閉塞することになる。ゴミ除けネット１が閉塞すると、行き場をなくした雨水がゴミ除けネット１の上方を越えて集水器３へ流れ込んでくるが、カバーネット２が取付けられていれば、例えゴミ除けネット１が閉塞しても、ゴミが集水器３へ流れ込むことがないため、かなりの長期間ゴミ除去作業を行わなくても閉塞する心配がなくなる。
【００２７】
本実施形態のゴミ除けネット１及びカバーネット２は、硬質塩化ビニル樹脂を主成分として成形されたものであるが、材質については特に限定されるものではなく、耐候性に優れるＡＳ樹脂、ＡＥＳ樹脂、ポリカーボネート樹脂を主成分として成形してもよく、また、ゴミ除けネット１にカバーネット２を取付けられるのであれば、その他の合成樹脂、とくに軟質合成樹脂でもよいし、金属製であってもよい。
合成樹脂で形成される場合、親水性を発揮する添加剤、紫外線吸収剤、酸化防止剤、耐衝撃補強剤等の公知の添加剤を含有させてもよく、これらの添加剤を表面層にのみ含有させた多層構造で形成させてもよい。
【００２８】
次に、以上のような上記ゴミ除けネット１とカバーネット２からなる集水器カバー部材Ｃの施工例を説明する。
【００２９】
まず、集水器３と軒樋４，４を連結する。この集水器３は、図１、図７に示すように、軒樋４をその内側に嵌合するもので、前壁部と底壁部と後壁部からなり、軒樋４を内側に嵌め込めるよう、その大きさは軒樋４よりも一回り大きく、外形は軒樋４の形状と略等しくなるように形成されている。前壁部には軒樋４の前側耳部４０ａと係合する２つの係合部３ａ，３ａが形成されており、後壁部には軒樋４の後側耳部４０ｂと係合する係合部３ｂが２つ形成されている。そして、底壁部には堅樋（不図示）へと続く落し口３ｃが形成されており、その落し口３ｃはドーム型のゴミ除去キャップ５で覆われている。この後壁部には、軒樋４から流れてきた雨水を整流すると共に、軒樋４が熱膨張によって寸法が長くなって落し口３ａを塞いでしまうのを防止するための軒樋ストッパー３ｄが落し口３ｃに向って突設されている。また、この集水器３の前壁部から後壁部にかけては、漏水を防止するためのゴムパッキン６が貼り付けられている。
尚、集水器３の落し口３ｃに差し込まれているゴミ除去キャップ５は、より確実に落し口３ｃや堅樋のゴミ詰まりを防止するためのものであるが、前述したように、本発明の集水器カバー部材Ｃは、ゴミ除けネット１とカバーネット２で略確実にゴミをキャッチするので、取り付けなくてもよい。
【００３０】
上記のような構成の集水器３と軒樋４は、主に軒樋４の弾性変形を利用しながら集水器３の内側に嵌め込んでいき、前壁部の係合部３ａ，３ａの内側に軒樋４の前側耳部４０ａを係合させると共に、後壁部の係合部３ｂ，３ｂに軒樋４の後側耳部４０ｂを係合させることで連結されている。このとき、予め軒樋４の端部にゴミ除けネット１を取付けていると、ゴミ除けネット１が補強材のような役割を果たし、軒樋４の前後方向の強度が増すので弾性変形しにくくなり、軒樋４を設置するのが困難となる。そのため、集水器３と軒樋４を連結してから、ゴミ除けネット１を軒樋４端部に取付けるのが好ましい。また、軒樋４の熱膨張による寸法変化を予め想定して、図７の仮想線で示すように、軒樋４，４は軒樋ストッパー３ｄ，３ｄから距離を置いて設置することが好ましい。
尚、上記のように軒樋４と軒樋ストッパー３ｄは、離して連結することが好ましいが、施工現場によっては軒樋４の寸法、施工性等の理由から、軒樋ストッパー３ｄに軒樋４を当接させて軒樋４と集水器３を連結施工することがある。その際は、前述したように、予め軒樋４の端部にゴミ除けネット１を取付けることが困難であるので、図１０に示すような、軒樋４が軒樋ストッパー３ｄに当接していても取付けることができるような、軒樋ストッパー３ｄに当接する部分の網目を切り欠いたゴミ除けネット１を用いる必要がある。
【００３１】
集水器３と軒樋４の連結作業が終わると、次に、軒樋４の端部にゴミ除けネット１を取付ける。ゴミ除けネット１の係止部１ａの突片１０ａ，１１ａ、係止部１ｂの突片１０ｂ，１１ｂ、係止部１ｃの突片１０ｃ，１１ｃの内面に接着剤を塗布し、それぞれの突片間に軒樋４の前板４ａ、後板４ｂ、底板４ｃを挿入することで簡単且つ確実に取付けられる。
【００３２】
上記のように軒樋４，４の端部にゴミ除けネット１，１の取付け作業が完了すると、次に、ゴミ除けネット１の係止爪１ｄ，１ｄ，１ｄ，１ｄとカバーネット２の被係止部２ａ，２ａ，２ａ，２ａを係止させて、ゴミ除けネット１，１の上部の開放部にカバーネット２で覆うことで施工が完了する。
【００３３】
以上のような本発明の集水器カバー部材Ｃは、ゴミ除けネット１の係止部１ａ，１ｂ，１ｃに軒樋４の前板４ａ、後板４ｂ、底板４ｃを挿入し、ゴミ除けネット１上面の係止爪１ｄとカバーネット２を係止させるという簡単な作業で設置することができる。その際、カバーネット２の被係止部２ａ，２ａ，２ａ，２ａとその近傍の複数の網目が、軒樋の長手方向と同じ方向に長網目となるように形成されているので、カバーネットの取付け作業が容易となるのは勿論のこと、軒樋４が熱伸縮してゴミ除けネット１の係止爪１ｄが移動したときにも対応することができる。しかも、ゴミ除けネット１及びカバーネット２の網目部分の面積は、従来の樋集水器のゴミ除去キャップよりも遥かに大きく、各軒樋４，４にゴミ除けネット１がそれぞれ取付けられているので詰まりづらい。従って、かなりの長期間ゴミ除去作業を行わなくても閉塞することがなく、軒樋４から堅樋へと雨水がスムーズに流落するため、大雨のときなどでも軒樋４から雨水が溢れてしまうという心配が減少する、といった顕著な効果を奏する。
【００３４】
図１１は本発明の更に他の実施形態に係る集水器カバー部材を軒樋に取付けた状態を示す正面図、図１２は同カバー部材の構成部材であるゴミ除けネットの正面図、図１３は同ゴミ除けネットの左側面図、図１４は同ゴミ除けネットの平面図、図１５は同カバー部材の構成部材であるカバーネットの平面図、図１６は同カバーネットの底面図、図１７は同カバーネットの側面図、図１８はゴミ除けネットの係止爪をカバーネットの突条に斜面に沿わせた状態を示す正面図である。
【００３５】
図１１に示す集水器カバー部材Ｃ２は、前述した図１に示す集水器カバー部材Ｃと同様に、軒樋４，４の端部に取付けられるゴミ除けネット１０，１０と、そのゴミ除けネット１０，１０の上部に取付けられるカバーネット２０とで構成される。
【００３６】
このゴミ除けネット１０も、図１２に示すように、縦糸と横糸で縦長の網目が形成された網体で、前述したゴミ除けネット１が、４本の横糸からなる網体であるのに対し、本実施形態のゴミ除けネット１０は、３本の横糸からなる上下に２段の網目が形成された網体である。そして、上部は２箇所三角形に切欠かれて、その切欠部より前述したゴミ除けネット１と同じ、突起片１１ｄと戻り防止爪１０ｄからなる係止爪１ｄが２本突設されており、また、底部には係止部１００ｃが設けられている。この集水器カバー部材Ｃ２は、前述したように、軒樋ストッパー３ｄに軒樋４を当接させて連結施工することがあるので、軒樋ストッパー３ｄに当接する部分（２段目の左右両端）の網目を切り欠いてある。このように、軒樋ストッパー３ｄに当接する部分を切欠いたとしても、落ち葉などのゴミが網目を通過する程大きくなることもないので、実質的な不具合はない。
また、ゴミ除けネット１０は正面が鉛直方向の中心軸で左右となっているため、左右を間違って取り付けることがない。
【００３７】
この実施形態の集水器カバー部材Ｃ２は、底部に設けられた１つの係止部１００ｃのみで軒樋４に取付けられるので、図１２、図１４に示すように、前述したゴミ除けネット１の係止部１ｃよりも遥かに幅が広く（２倍以上）形成されている。このように係止部１００ｃの幅を広く形成することで軒樋４に取付けたときの取付け強度は増すが、より確実に取付けるため、図１３に示すように、軒樋の底板４ｃを差し込んで挟着する奥行きが５〜１５ｍｍ程度の略コ字形に形成されている。係止部１００ｃを略コ字形に形成することで、係止部１００ｃの上側突片１０１ｃと下側突片１０２ｃが軒樋の底板４ｃを上下から挟着するので、ガタつきなく確実に取付けることができる。
なお、底部に設けられた係止部１００ｃの幅は軒樋底部の有効幅（軒樋底板と前板及び底板と後板の想像延長線がそれぞれ交接する間の幅、つまり底板と前板及び底板と後板の交接部にあるアールを除いたときの底板の幅を指す）の１／８〜１／２程度にすることが望ましい。係止部１００ｃの幅が軒樋底部の有効幅の１／８より小さいと取付け強度が不足し、１／２より大きいと雨水の流れを阻害する。
この下側の突片１０２ｃは、軒樋内から垂れた雨水が下側突片１０２ｃをつたって軒樋外側壁と集水器内側との間にある漏水防止部に浸入するのを防ぐため、下方へ９０°折り曲げられて水切りの役目をしている。また、軒樋が気温が低下して収縮して場合でも、下方に屈曲した部分が集水器の内壁にあたり、軒樋が集水器から脱落することがない。
【００３８】
また、図１３、図１４に示すように、ゴミ除けネット１の縦糸から係止部１００ｃの上側突片１０１ｃに向って片三角形の補強リブ１０ｒ，１０ｒが設けられている。この補強リブ１０ｒを設けると、軒樋４に取付けた際、補強リブ１０ｒがつっかえ棒の役割を果たすので、ゴミ除けネット１０の倒れや撓みを防止し、更に強固に取付けることができる。
【００３９】
図１３、図１４に示すように、ゴミ除けネット１０上部の左右両端には、略片三角形のガイド部材１０ｇ，１０ｇが軒樋４の上流側へ突設されている。このガイド部材１０ｇは、軒樋ストッパー３ｄに軒樋４を当接させて施工する際、施工現場の足場が悪いなどして軒樋４内部が視認できないときに、該ガイド部材１０ｇを持つと持ちやすいと共に、ゴミ除けネット１０の両端及び上端が把握でき、位置決めの役割も果たす。
また、図１２に示すように、ゴミ除けネット１０上部の左右両端から上方へ突起１０ｅが形成されている。この突起１０ｅ，１０ｅは、後述するカバーネット２０を取付ける際の、支点としての役割を果たす。
【００４０】
このゴミ除けネット１０の材質等その他の構造は、前述した図１〜図１０に示す実施形態の集水器カバー部材Ｃのゴミ除けネット１と同様であるから、説明を省略する。
【００４１】
一方、上記ゴミ除けネット１０に取付けられる図１５に示すカバーネット２０も、縦糸と横糸で網目が形成された長方形の網体で、前述したカバーネット２よりも若干横寸法（１３０〜１４０ｍｍ程度）が短い。このカバーネット２０も縦糸と横糸によって種々の大きさの網目が形成されているが、中央付近には、縦糸の一辺が他より長い網目２０ｂ（上記ゴミ除けネット１０の係止部１００ｃの幅と同寸法。）が左右対称に形成されており、上記ゴミ除けネット１０に取付けた際、係止爪１ｄ，１ｄ，１ｄ，１ｄが位置する箇所に、縦糸の一辺（網目の幅）がゴミ除けネット１０の係止爪１ｄの戻り防止爪１０ｄの寸法と略等しくて、横糸の一辺が長い網目、即ち、係止爪１ｄと係止する被係止部２０ａが４個形成されている。この被係止部２０ａも、前述した集水器カバー部材Ｃの被係止部２ａと同様に、横糸の一辺を４０ｍｍ〜４５ｍｍ程度に設定すると、軒樋４が熱伸縮しても対応することができる。
【００４２】
図１６、図１７に示すように、カバーネット２０裏面の被係止部２０ａの両端には、被係止部２０ａと同じ寸法（４０ｍｍ〜４５ｍｍ程度）の略片三角形の突条２０ｃがづつ、合計８本形成されている。この突条２０ｃは、図１８に示すように、係止爪１ｄの戻り防止爪１０ｄを突条２０ｃの斜面に沿わせることでカバーネット２０をスムーズに取付けることができるように設けられたものであると共に、施工現場の足場が悪いなどして軒樋４内部が視認できず、ゴミ除けネット１０の係止爪１ｄの位置や、被係止部２０ａの位置を正確に把握できないような場合でも、手の指で突条２０ｃの位置を認識しながら手探り状態でゴミ除けネット１０の係止爪１ｄを目標にし、係止爪１ｄの戻り防止爪１０ｄを突条２０ｃの斜面に沿わせることで、カバーネット２０を取付けることができるように設けられたものでもある。
尚、このカバーネット２０をゴミ除けネット１０に取付ける際、前述したゴミ除けネット１０の突起１０ｅの内側にカバーネット２０の側端を引っ掛け、該突起１０ｅを支点にして、カバーネット２０を下方に回転させて取付けると、簡単にゴミ除けネット１０の係止爪１ｄとカバーネット２０の被係止部２０ａを係止させることができる。
【００４３】
このカバーネット２０も、前述したように、左右の両端が下方へ折り曲げられたコ字型でもよく、図９（ａ）に示す形状や、図９（ｂ）に示すような形状でもよいことはいうまでもなく、材質等その他の構造は、前述した図１〜図１０に示す実施形態の集水器カバー部材Ｃと同様であるから、説明を省略する。
【００４４】
以上のような集水器カバー部材Ｃ２の施工方法は、前述した集水器カバー部材Ｃが、係止部１ａ，１ｂ，１ｃを係止させて軒樋４に取付けるのに対して、本実施形態の集水器カバー部材Ｃ２は、ゴミ除けネット１０の底部に設けられた係止部１００ｃのみに接着剤を塗布し、軒樋４の底板４ｃと係止させて取付ける点、ゴミ除けネット１０にカバーネット２０を取付ける際、突条２０ｃの斜面に係止爪１ｄの戻り防止爪１０ｄを摺接させながら被係止部２０ａと係止させる点、以外は同一であるので説明を省略する。
【００４５】
尚、この集水器カバー部材Ｃ２のゴミ除けネット１０は、図１９に示すように、２つのゴミ除けネット１０，１０が一体に形成されて、施工現場で切り取り線Ｌに沿って切断し、２つに分離されるのが通常である。また、カバーネット２０の中央付近の長い網目２０ｂの一辺は、ゴミ除けネット１０の係止部１００ｃの幅と同寸法になるように形成されているので、この図に示すようにゴミ除けネット１０をカバーネット２０と平行にすると、ゴミ除けネット１０の係止部１００ｃとカバーネット２０の長い網目２０ｂの位置が重なり、係止させることができる。このように、ゴミ除けネット１０の係止部１００ｃとカバーネット２０の長い網目２０ｂを係止させてワンセットにすると、持ち運び易く、しかも、嵩張らない。
【００４６】
上記構成の集水器カバー部材Ｃ２も、簡単な作業で設置することができるにもかかわらず、メンテナンスサイクルが長く、かなりの長期間ゴミ除去作業を行わなくても閉塞する心配がない、といった顕著な効果を奏する。
【図面の簡単な説明】
【００４７】
【図１】本発明の一実施形態に係る集水器カバー部材の分解斜視図である。
【図２】同カバー部材を軒樋に取付けた状態を示す正面図である。
【図３】同カバー部材の構成部材であるゴミ除けネットの正面図である。
【図４】同ゴミ除けネットの平面図である。
【図５】同ゴミ除けネットの右側面図である。
【図６】同カバー部材の構成部材であるカバーネットの平面図である。
【図７】軒樋と軒樋の間に設置される集水器を示す平面図である。
【図８】本発明の集水器カバー部材の構成部材であるゴミ除けネットの参考例である。
【図９】本発明の集水器カバー部材の構成部材であるカバーネットの参考例である。
【図１０】本発明の他の実施形態におけるゴミ除けネットの正面図である。
【図１１】本発明の更に他の実施形態に係る集水器カバー部材を軒樋に取付けた状態を示す正面図である。
【図１２】同カバー部材の構成部材であるゴミ除けネットの正面図である。
【図１３】同ゴミ除けネットの左側面図である。
【図１４】同ゴミ除けネットの平面図である。
【図１５】同カバー部材の構成部材であるカバーネットの平面図である。
【図１６】同カバーネットの底面図である。
【図１７】同カバーネットの側面図である。
【図１８】ゴミ除けネットの係止爪をカバーネットの突条に斜面に沿わせた状態を示す正面図である。
【図１９】本発明のゴミ除けネットの係止部とカバーネットの長い網目を係止させてワンセットにした状態を示す説明図である。
【符号の説明】
【００４８】
Ｃ，Ｃ２  集水器カバー部材
１，１０  ゴミ除けネット
１ａ  左側部の係止部
１ｂ  右側部の係止部
１ｃ，１００ｃ  底部の係止部
１０ｒ  補強リブ
１ｄ  係止爪
２，２０  カバーネット
２ａ，２０ａ  被係止部
２０ｃ  突条
３    集水器
３ｃ  落し口
４    軒樋
【図１】
2008267112.tif 000003
【図２】
2008267112.tif 000004
【図３】
2008267112.tif 000005
【図４】
2008267112.tif 000006
【図５】
2008267112.tif 000007
【図６】
2008267112.tif 000008
【図７】
2008267112.tif 000009
【図８】
2008267112.tif 000010
【図９】
2008267112.tif 000011
【図１０】
2008267112.tif 000012
【図１１】
2008267112.tif 000013
【図１２】
2008267112.tif 000014
【図１３】
2008267112.tif 000015
【図１４】
2008267112.tif 000016
【図１５】
2008267112.tif 000017
【図１６】
2008267112.tif 000018
【図１７】
2008267112.tif 000019
【図１８】
2008267112.tif 000020
【図１９】
2008267112.tif 000021